(57)【要約】【課題】遮蔽部材を張った状態で取り付ける。【解決手段】吸気ダクト１０は、ダクト本体１２の壁部に形成された開口部１６を覆った遮蔽部材３０の外周縁を、ダクト本体１２に取り付けた保持部材４０で保持するよう構成される。遮蔽部材３０は、開口部１６の全周を囲うようにダクト本体１２に形成された第１支持部２０と、保持部材４０の外周縁全周に第１支持部２０に対応して形成された第２支持部４４との間に挟持されて、開口部１６の開口面方向外側に向けて引っ張られた状態で固定される。【選択図】図３
2014040787.tif 000002
【特許請求の範囲】
【請求項１】
ダクト本体の壁部に形成された開口部を、通気性を有する遮蔽部材で覆い、該遮蔽部材の外周縁を、ダクト本体に取り付けた保持部材で保持するよう構成した吸気ダクトにおいて、
前記開口部の全周を囲うように前記ダクト本体に形成された第１支持部と、
前記保持部材の外周縁全周に前記第１支持部に対応して形成され、該第１支持部と噛み合って前記遮蔽部材を開口部の開口面方向外側に向けて引っ張るように挟持する第２支持部と、
前記開口部に隣接して前記ダクト本体に複数形成され、該開口部における遮蔽部材で覆われる開口面より前記ダクト本体の内方に延在する取付部と、
前記取付部に対応して前記保持部材に形成され、該保持部材を前記開口部に押し付けるように前記ダクト本体の内方へ引き込んだ状態で該取付部に固定された取付片とを備えた
ことを特徴とする吸気ダクト。
【請求項２】
前記遮蔽部材は、エンボス加工が施された不織布からなるシート状物である請求項１記載の吸気ダクト。
【請求項３】
前記第２支持部は、前記ダクト本体の外方に向けて開口する凹溝状に形成された第１支持部に対して、前記遮蔽部材を挟んで嵌り込む突条片を備えた請求項１または２記載の吸気ダクト。
【請求項４】
前記取付部は、前記第１支持部よりも前記開口部の開口面方向内側に設けられた請求項１〜３の何れか一項に記載の吸気ダクト。
【発明の詳細な説明】
【技術分野】
【０００１】
この発明は、車両におけるエンジンの吸気系に用いられる吸気ダクトに関するものである。
【背景技術】
【０００２】
特許文献１のように、エンジンの吸気系で発生する吸気騒音の低減を図った吸気ダクトが提案されている。特許文献１の吸気ダクトは、ダクト本体の壁面に複数の開口を設け、この開口の外側を覆った吸音材を、ダクト本体に取り付けた保持部材で固定している。
【先行技術文献】
【特許文献】
【０００３】
【特許文献１】実公平６−１０１１６号公報
【発明の概要】
【発明が解決しようとする課題】
【０００４】
前述した特許文献１の吸気ダクトは、開口を覆った吸音材がダクト本体内の吸気音を吸収することで、騒音を抑えている。そして、よりよい騒音低減効果を得るためには、ダクト本体の内部圧力変動(吸気音)に応じて、吸音材自体が振動する所謂振動膜を形成するように、吸音材を引っ張った状態でダクト本体に装着するのが好ましい。
【０００５】
すなわち本発明は、従来の技術に係る吸気ダクトに内在する前記問題に鑑み、これらを好適に解決するべく提案されたものであって、効果的に吸気騒音を低減し得る吸気ダクトを提供することを目的とする。
【課題を解決するための手段】
【０００６】
前記課題を克服し、所期の目的を達成するため、本願の請求項１に係る発明の吸気ダクトは、
ダクト本体の壁部に形成された開口部を、通気性を有する遮蔽部材で覆い、該遮蔽部材の外周縁を、ダクト本体に取り付けた保持部材で保持するよう構成した吸気ダクトにおいて、
前記開口部の全周を囲うように前記ダクト本体に形成された第１支持部と、
前記保持部材の外周縁全周に前記第１支持部に対応して形成され、該第１支持部と噛み合って前記遮蔽部材を開口部の開口面方向外側に向けて引っ張るように挟持する第２支持部と、
前記開口部に隣接して前記ダクト本体に複数形成され、該開口部における遮蔽部材で覆われる開口面より前記ダクト本体の内方に延在する取付部と、
前記取付部に対応して前記保持部材に形成され、該保持部材を前記開口部に押し付けるように前記ダクト本体の内方へ引き込んだ状態で該取付部に固定された取付片とを備えたことを要旨とする。
請求項１に係る発明によれば、開口部を覆う遮蔽部材に適度なテンションをかけることで、ダクト本体の内部圧力変動に応じて遮蔽部材を振動させることができるから、ダクト本体の吸気騒音をより低減することができる。
【０００７】
請求項２に係る発明では、前記遮蔽部材は、エンボス加工が施された不織布からなるシート状物であることを要旨とする。
請求項２に係る発明によれば、エンボス加工が施された不織布で遮蔽部材を構成することで、遮蔽部材の引っ張り強度を向上させることができ、遮蔽部材にテンションをかけて開口部を覆っても弛みにくい。
【０００８】
請求項３に係る発明では、前記第２支持部は、前記ダクト本体の外方に向けて開口する凹溝状に形成された第１支持部に対して、前記遮蔽部材を挟んで嵌り込む突条片を備えたことを要旨とする。
請求項３に係る発明によれば、両支持部の凹凸による簡単な構成で、遮蔽部材を適度に引っ張ることができる。
【０００９】
請求項４に係る発明では、前記取付部は、前記第１支持部よりも前記開口部の開口面方向内側に設けられたことを要旨とする。
請求項４に係る発明によれば、取付部を第１支持部の内側に設けることで、保持部材を小型化できる。
【発明の効果】
【００１０】
本発明に係る吸気ダクトによれば、効果的に吸気騒音を低減し得る。
【図面の簡単な説明】
【００１１】
【図１】本発明の好適な実施例に係る吸気ダクトの一部を示す概略斜視図である。
【図２】実施例の吸気ダクトの一部を分解して示す概略斜視図である。
【図３】(ａ)は図１のＡ−Ａ線断面図であり、(ｂ)は図１のＢ−Ｂ線断面図である。
【図４】図１のＢ−Ｂ線に対応する断面で保持部材の取り付け過程を示す説明図である。
【発明を実施するための形態】
【００１２】
次に、本発明に係る吸気ダクトにつき、好適な実施例を挙げて、添付図面を参照して以下に説明する。
【実施例】
【００１３】
図１および２に示すように、実施例に係る吸気ダクト１０は、筒状のダクト本体１２の周壁部(壁)に開口部１６が設けられ、この開口部１６を覆う遮蔽部材３０が該ダクト本体１２に取り付けられた保持部材４０で固定されている。実施例のダクト本体１２は、２つのダクト半体１２Ａ,１２Ｂを組み合わせて構成される。２つのダクト半体１２Ａ,１２Ｂは、爪と孔による係合などの機械的締結または接着などによって、ダクト本体１２における空気流通方向に延在する側縁部を互いに突き合わせて組み付けられる。なお、ダクト半体１２Ａ,１２Ｂは、ポリプロピレン(ＰＰ)または高密度ポリエチレン(ＨＤＰＥ)などの合成樹脂を材質とし、インジェクション成形等によって得られる成形品である。
【００１４】
図２に示すように、前記開口部１６は、第１ダクト半体１２Ａにおいて壁部が外側に膨出するように形成された設置部１４に設けられている。開口部１６は、対向する開口縁間に縦横に架設された複数の区画片１８によって、ダクト本体１２の内外に連通する開口１６ａが区分された網目状に形成されている。また、設置部１４には、開口部１６の全周を囲うように第１支持部２０が形成されている。第１支持部２０は、外方に向けて開口する凹溝状に形成され、この溝が開口部１６の全周に亘って連なっている(図２参照)。そして、区画片１８は、第１支持部２０を構成する内側の壁(開口部１６を画成する壁)よりもダクト本体１２の内方に延在しており、遮蔽部材３０を該内側の壁に当接させて開口部１６を覆った際に、遮蔽部材３０と区画片１８との間に隙間ができる。更に、設置部１４には、開口部１６に隣接して複数(実施例では６箇所)の取付部２２が形成されている。取付部２２は、第１支持部２０よりも開口部１６の開口面方向内側に設けられ、区画片１８の間を塞ぐように、略矩形状の開口部１６の４隅および長手方向に沿う側部中央部に配置されている。そして、各取付部２２は、開口部１６におけるダクト本体１２の外方に臨む開口面(第１支持部２０を構成する内側の壁)および区画片１８よりも、ダクト本体１２の内方に延在するよう構成され、保持部材４０の取り付け時に該保持部材４０の内面との間に隙間を画成し得るようになっている(図３参照)。各取付部２２には、ダクト本体１２の内外方向(板状の取付部２２の厚み方向)に貫通する取付孔２４が形成されている。
【００１５】
前記遮蔽部材３０は、通気性を有する不織布からなるシート状物であり、開口部１６および該開口部１６を囲う第１支持部２０を少なくとも覆い得る大きさに設定されている。また、遮蔽部材３０は、撥水剤や止水剤などの表面処理等により撥水性および止水性を有している。ここで、不織布は、ポリエステル系繊維やポリプロピレン系繊維などの熱可塑性樹脂繊維からなり、スパンボンド法などによって得られるものを用いることができ、特に限定されないが７０ｇ／ｍ２〜３００ｇ／ｍ２の目付量であるのが好ましい。また、不織布は、所要パターンで型押しすることで、熱可塑性樹脂繊維が溶融して圧着した圧着部分と、圧着されていないまたは該圧着部分よりも圧着度合いが小さい一般部分とを設ける所謂エンボス加工が施されている。実施例の遮蔽部材３０には、線状の圧着部分が互いに交わる格子状に延在するようにエンボス加工が施され、この圧着部分によって引っ張り強度が向上されると共に伸び難くなっている。また、遮蔽部材３０は、エンボス加工による凹凸により表面積を大きくすることができる。遮蔽部材３０には、保持部材４０の後述する取付片４８が挿通可能な挿通孔３２が、該取付片４８に対応して厚み方向に貫通形成されている。挿通孔３２は、後述する第１支持部２０と第２支持部４４との噛み合いによる遮蔽部材３０の引っ張りを阻害しないように、取付片４８より大きく形成されている。
【００１６】
前記保持部材４０は、開口部１６の外側を囲う第１支持部２０よりも一回り大きく形成された板状部材であり、ダクト半体１２Ａ,１２Ｂと同様に樹脂成形品が用いられている。保持部材４０は、前記開口部１６の区画片１８に合わせて縦横に架設された複数の保持片４２によって、該保持部材４０の表裏に連通する通口４０ａが区分された網目状に形成される。保持部材４０は、該保持部材４０を設置部１４に取り付けた際に、通口４０ａが開口部１６の開口１６ａに整合してダクト本体１２の内外方向に連通するようになっている。保持部材４０の外周縁には、第２支持部４４が第１支持部２０に対応して形成され、保持部材４０を設置部１４に取り付けた際に、第１支持部２０と噛み合って遮蔽部材３０を開口部１６の開口面方向外側に向けて引っ張るように挟持するように構成される。ここで、保持部材４０には、第２支持部４４として、該保持部材４０の外周縁裏面から突出する突条片が該外周縁全周に亘って形成され、この突条片が第１支持部２０に嵌合するようになっている。また、保持部材４０の外周端裏面には、壁片４６が該外周縁全周に連ねて突出形成されている。そして、保持部材４０は、設置部１４に取り付けた際に、第２支持部４４の外側に離間して延在する壁片４６が、溝状の第１支持部２０を画成する外側の壁(設置部１４の外壁面)の外周を囲うようになっている。そして、保持部材４０を設置部に取り付けた状態において保持片４２は、第１支持部２０を構成する内側の壁よりもダクト本体１２の外方に延在しており、遮蔽部材３０を該内側の壁に当接させて開口部１６を覆った際に、遮蔽部材３０と保持片４２との間に隙間ができる。
【００１７】
前記保持部材４０には、設置部１４に形成された複数の取付部２２の夫々に対応して複数の取付片４８が形成されている(図４(ａ)参照)。各取付片４８は、保持部材４０の裏面から突出した棒状に形成される。また、取付片４８は、第２支持部４４よりも大きく突出するように設定され、開口部１６の開口面よりも内方に位置する取付部２２の取付孔２４に挿入可能で、かつ挿入した取付片４８の先端が取付部２２から突出するよう構成される。保持部材４０は、遮蔽部材３０の挿通孔３２から突き出た取付片４８を対応の取付孔２４に挿入し、取付部２２から内方へ突出した取付片４８の先端を熱によって潰す熱カシメなどにより、取付片４８を取付部２２に固定することで、設置部１４に取り付けられる(図３参照)。ここで、保持部材４０は、取付片４８を取付部２２に固定する際に、取付片４８をダクト本体１２の内方へ引き込むように力を加えたり、または保持部材４０自体を設置部１４に押さえ付けること等により、保持部材４０を設置部１４に押し付けるように付勢された状態で取り付けられる。
【００１８】
〔実施例の作用〕
次に、実施例に係る吸気ダクト１０の作用について説明する。保持部材４０を開口部１６との間に遮蔽部材３０を挟んで設置部１４に取り付けた際には、遮蔽部材３０の外周縁が凸状の第２支持部４４によって凹状の第１支持部２０に押し込まれることで、遮蔽部材３０が開口部１６の開口面外側に向けて引っ張られる(図４(ｂ)参照)。ここで、第１支持部２０および第２支持部４４が遮蔽部材３０の外周縁を全周に亘って挟持するので、遮蔽部材３０における開口部１６を覆う部分全体に四方に向けてテンションが一様にかけられる。このように、両支持部２０,４４の凹凸による簡単な構成で、遮蔽部材３０を適度に引っ張ることができる。また、取付部２２が開口部１６の開口面よりも下がっているので、保持部材４０の裏面が遮蔽部材３０を挟んで開口部１６に位置規制されても、取付部２２と保持部材４０の裏面との間の隙間を用いて取付片４８をダクト本体１２の内方へ引き込むことができる。従って、第２支持部４４を第１支持部２０により強く押し込むことが可能であるので、遮蔽部材３０により強くテンションをかけることができる。そして、遮蔽部材３０は、エンボス加工が施されて伸び難くなっているから、第１支持部２０と第２支持部４４との噛み合いによって強く引っ張られても伸びず、遮蔽部材３０を開口１６ａに合わせてゆるみなく張ることができる。なお、取付部２２を第１支持部２０の内側に設けることで、保持部材４０を小型化できる。
【００１９】
実施例の吸気ダクト１０によれば、開口１６ａを覆う遮蔽部材３０に適度なテンションがかけることで、ダクト本体１２の内部圧力変動に応じて遮蔽部材３０を振動させることができる。すなわち、遮蔽部材３０が通気性を有する吸音材でありながら所謂振動膜としても機能するので、該振動膜としての消音効果も得られ、ダクト本体１２の吸気騒音をより低減することができる。ここで、吸気ダクト１０は、開口部１６を覆った遮蔽部材３０に対して、該開口部１６に延在する区画片１８がダクト本体１２の内方に離間すると共に保持部材４０の保持片４２がダクト本体１２の外方に離間している。従って、遮蔽部材３０は、区画片１８および保持片４２との間の隙間で振動が許容され、前記振動膜としての好適な消音効果が得られる。そして、エンボス加工が施された不織布で遮蔽部材３０を構成することで、遮蔽部材３０の引っ張り強度を向上させることができ、遮蔽部材３０にテンションをかけて開口部１６を覆っても弛みにくい。このため、遮蔽部材３０による騒音低減効果を長持ちさせることができる。
【００２０】
(変更例)
前述した構成に限定されず、以下のように変更することも可能である。
(１)保持部材の取り付けは、熱カシメに限定されず、孔と爪とによる機械的な締結、または接着などその他の手段を用いてもよい。
【符号の説明】
【００２１】
１２ ダクト本体，１６ 開口部，２０ 第１支持部，２２ 取付部，３０ 遮蔽部材，
４０ 保持部材，４４ 第２支持部，４８ 取付片
【図１】
2014040787.tif 000003
【図２】
2014040787.tif 000004
【図３】
2014040787.tif 000005
【図４】
2014040787.tif 000006